(57)【特許請求の範囲】
【請求項１】
機器収納箱に蓋体が取り付けられ、
前記機器収納箱の内部に連なる開口部に、防水透湿性シートと支持部材とを含む防水透湿性フィルタが備えられ、
前記防水透湿性シートは、一定方向には水を通さないが逆方向には水蒸気を透過させるものであり、
前記支持部材は、通気性を有し、前記防水透湿性シートを両面から挟み込んで前記防水透湿性シートを所定の平面形状に保持させて支持する積層体を形成し、
前記積層体は、開蓋時に前記機器収納箱の内部側から取り付け面となる蓋体側に留め具を着脱可能に貫通させる、
電気転てつ機。

【発明の詳細な説明】
【技術分野】
【０００１】
本発明は、防水透湿フィルタを備える電気転てつ機に関する。
【背景技術】
【０００２】
電気転てつ機は、例えば、特許文献１に記載されているように、トングレールを駆動し、線路の開通方向を定めるもので、機器収納箱の内部に、転換・鎖錠機構が内蔵されている。また、機器収納箱の内部から外部に突出する動作かん及び鎖錠かんが備えられている。動作かんは、モータの駆動力によってトングレールを駆動し、鎖錠かんは転換鎖錠部によってトングレールを転換位置に鎖錠する。
【０００３】
ところで、標準的な電気転てつ機、例えば、ＮＳ型電気転てつ機と称される電気転てつ機は、耐水性能がない。このため、豪雨、洪水等があった場合、動作かん溝、鎖錠かん溝、通気孔又は水抜き孔等の通気路から機器収納箱の内部に水が浸入し、転換・鎖錠機構が故障する恐れがある。
【０００４】
この問題を解決する手段として、水の浸入路となる通気路をなくした密閉構造の耐水型電気転てつ機が開発された。この耐水型電気転てつ機は、高い気密性が保持されていれば問題はない。しかし、経年変化や、転換・鎖錠の動作回数の増大により、気密性が低下してくると、寒暖差による機器収納箱内外の気圧変動で、機器収納箱内部に水分を含んだ空気を引き込んだり、あるいは、動作かんや鎖錠かんに付着したわずかな水分が、動作かんや鎖錠かんの動作につれて機器収納箱内部に引き込まれ、機器収納箱内部の水分が増加する。このため、機器収納箱の内部で結露を生じ、この内部結露により転換・鎖錠機構を構成する各部品が錆びつき、転換不能等の原因となることがあった。
【先行技術文献】
【特許文献】
【０００５】
【特許文献１】特開２００６−２６５９５号公報
【発明の開示】
【発明が解決しようとする課題】
【０００６】
本発明の課題は、耐水機能と結露防止機能とを併せ持つ防水透湿フィルタを備える電気転てつ機を提供することである。
【課題を解決するための手段】
【０００７】
上述した課題を解決するため、本発明に係る電気転てつ機は、機器収納箱に蓋体が取り付けられ、前記機器収納箱の内部に連なる開口部に、防水透湿性シートと支持部材とを含む防水透湿性フィルタが備えられ、前記防水透湿性シートは、一定方向には水を通さないが逆方向には水蒸気を透過させるものであり、前記支持部材は、通気性を有し、前記防水透湿性シートを両面から挟み込んで前記防水透湿性シートを所定の平面形状に保持させて支持する積層体を形成し、前記積層体は、開蓋時に前記機器収納箱の内部側から取り付け面となる蓋体側に留め具を着脱可能に貫通させる。
【０００８】
本発明に係る防水透湿フィルタは、防水透湿性シートを含んでおり、この防水透湿性シートは、水は通さないから、機器収納箱の内部から外部に連なる通気路を有する屋外設置機器において、通気路を横断するように配置した場合、機器収納箱の外部から内部への水の浸入が阻止される。
【０００９】
一方、本発明で用いる防水透湿フィルタは、水蒸気を通すから、機器収納箱の内部において結露の原因となる水蒸気を、機器収納箱の内部から外部へ逃がすことができる。したがって、耐水機能と結露防止機能とを併せ持つ防水透湿フィルタとなる。
【００１０】
本発明に係る防水透湿フィルタは、更に支持部材を含む。この支持部は、通気性を有し、防水透湿性シートを支持する。すなわち、支持部材は、それぞれが通気性を有する２枚の板状部材であり、防水透湿性シートを両面から挟み込んで所定の平面形状に保持して積層体を形成する。この構造によれば、防水透湿シートを所定の平面形状に維持し、耐水機能及び結露防止機能を十分に発揮させるとともに、支持部材を利用して、防水透湿シートを所定の平面形状に保ったままで、機器収納箱の通気路を横断するように、機器収納箱に取り付けることができる。
【００１１】
本発明に係る防水透湿フィルタは、好ましくは、ビス又はねじ等の留め具を含み、留め具は、防水透湿性シート及び支持部材の積層体を、一面側から取り付け面となる他面側に着脱可能に貫通する。このような構造によれば、防水透湿フィルタが、例えば、経年変化等によって交換しなければならなくなったときも、新しいものと容易に交換することができ、長期にわたって、機器の防水機能及び結露防止機能を維持することができる。
【００１２】
本発明に係る防水透湿フィルタは、機器収納箱の内部から外部に連なる通気路を有する転てつ機に用いることができる。転てつ機への適用において、本発明に係る防水透湿フィルタは、通気路を横断するように配置される。
【００１３】
本発明に係る防水透湿フィルタは、水は通さないから、洪水等があった場合でも、通気路から機器収納箱の内部に水が浸入することがない。よって、洪水等があった場合でも、転換・鎖錠機構が故障する恐れがない。
【００１４】
しかも、本発明に係る防水透湿フィルタは、水蒸気を通すから、結露の原因となる水蒸気を、機器収納箱の内部から外部へ逃がすことができる。よって、経年変化や、転換・鎖錠の動作回数の増大により、気密性が低下し、寒暖差による機器収納箱内外の気圧変動で、機器収納箱内部に水分を含んだ空気を引き込んだり、あるいは、動作かんや鎖錠かんに付着したわずかな水分が、動作かんや鎖錠かんの動作につれて機器収納箱内部に引き込まれ、機器収納箱内部の水分が増加した場合でも、機器収納箱の内部で結露が生じるのを阻止し、結露による転換・鎖錠機構を構成する各部品の錆びつきを回避することができる。
【００１５】
本発明に係る防水透湿フィルタの主な用途は、上述したように、転てつ機であるが、機器収納箱への防水及び結露防止を必要とする種々の屋外設置機器に適用できる。すなわち、機器収納箱の内部から外部に連なる通気路を有する屋外設置機器は、機器収納箱の外部から内部には水を通さないが内部から外部には水蒸気を透過させる防水透湿性フィルタを有する。
【発明の効果】
【００１６】
以上述べたように、本発明によれば、耐水機能と結露防止機能とを併せ持つ防水透湿フィルタを備える電気転てつ機を提供することができる。
【００１７】
本発明の他の特徴及びそれによる作用効果は、添付図面を参照し、実施例によって更に詳しく説明する。
【図面の簡単な説明】
【００１８】
【図１】本発明に係る防水透湿フィルタの分解斜視図である。
【図２】本発明に係る防水透湿フィルタに用いられている防水透湿シートの湿度―透湿度特性を示す図である。
【図３】本発明に係る防水透湿フィルタを用いた屋外設置機器の一部を示す図である。
【図４】本発明に係る防水透湿フィルタを用いた電気転てつ機の開蓋状態を示す斜視図である。
【図５】図４に示した電気転てつ機の蓋体を内側から見た平面図である。
【図６】図５の６−６線拡大断面図である。
【図７】図６の断面状態を、蓋体の内側（下面側）からみた斜視図である。
【発明を実施するための形態】
【００１９】
図１を参照すると、図示の防水透湿フィルタは、防水透湿性シート１と、第１支持部材３と、第２支持部材５とを含む。防水透湿性シート１は、水を通さず、水蒸気を透過させる。水は、多くの水分子が集合したクラスタであり、水蒸気は、水分子、又は、水よりも少ない水分子集合の微小クラスタである。例えば、雨等の水滴は直径２００〜８０００μｍの大きさであり、水蒸気は０．０００４μｍ程度の大きさである。防水透湿性シート１は、水と水蒸気のとの間の上述した大小差を利用して、水を通さず、水蒸気を通すような高分子微多孔質膜構造を有する。このような防水透湿性シート１は、ＷＬゴア＆アソシエイツ社のゴアテックス（登録商標）、東京シンコール社のハイ・ブリザテック（登録商標）、東レ社のエントラント（登録商標）等として知られている。
【００２０】
図２は、上述した防水透湿性シート１の湿度−透湿度特性の一例を示す図で、ＪＩＳL  １０９９Ａ−２法で測定された実測データを示している。ＪＩＳL  １０９９Ａ−２法とは、水の入った容器を測定環境下に設置し、２４時間で蒸発した水の質量を測定する方法である。実験では、温度をパラメータとして、湿度と透湿度との関係を測定した。
【００２１】
図２の実測データが示すように、湿度の低い環境では、積極的に水蒸気を排出するため透湿度が高い。一方、湿度の高い環境では、水蒸気の排出が少なく、透湿度は低くなる。
【００２２】
また、環境温度が高くなるほど、透湿度が高くなる。上述したような実測データは、実際に防水透湿フィルタを準備するときの基礎データとして有用なものである。
【００２３】
再び、図１を参照して説明する。第１支持部材３は、通気性を有する例えば多孔板であって、防水透湿性シート１の一面に積層されている。第２支持部材５も、通気性を有する例えば多孔板であって、防水透湿性シート１の他面に積層される。第１支持部材３及び第２支持部材５は、さびにくく、機械的強度の大きな金属板材、例えば、ステンレス等によって構成する。第１支持部材３及び第２支持部材５に設けられた多数の孔３１１、５１１は、機械的に穿孔されたものであってもよいし、型抜きされたものであってもよい。孔３１１、５１１の開けられた開孔領域の面積、その中に含まれる孔の個数、孔径及び孔形状は任意に設定できる。
【００２４】
図示の防水透湿フィルタは、更に、パッキン７及び留め具９を有している。パッキン７は、これまでパッキン材料として知られているものによって構成することができる。このパッキン７は、枠状であって、枠部７１３によって囲まれた開口部７１１を有する。パッキン７は、周辺の枠部７１３が、第２支持部材５の上に積層され、開口部７１１の面内に第２支持部材５の開孔領域が重なるように配置される。第２支持部材５の開孔領域は、防水透湿性シート１を間に挟んで、第１支持部材３の開孔領域と重なる。
【００２５】
留め具９は、代表的には、ビス、ねじであって、第１支持部材３、水透湿性シート、第２支持部材５及びパッキン７の積層体の各周辺部に、所定の間隔で設けられた挿通孔３１３，５１３，７１５を貫通する。そして、パッキン７のある側を取り付け面として、屋外設置機器の所定位置に取り付けられる。
【００２６】
図３は、図１に示した防水透湿フィルタを屋外設置機器に取り付けた状態を示す断面図である。図を参照すると、屋外設置機器は、その主要部をなす機器収納箱１１に、蓋体１３を取り付けた構造を有し、機器収納箱１１から蓋体１３に向かい、蓋体１３から外部に連なる通気路１３１を有している。防水透湿フィルタ１５は、蓋体１３の裏面１３３に固定されている。裏面１３３には、第１開口部１３５が設けられている。防水透湿フィルタ１５は、この第１開口部１３５の全面を覆い、パッキン７が裏面１３３に密接するようにして、留め具９によって固定されている。図示では、蓋体１３の外壁部に設けられた第２開口部１３７に、ごみや虫等の侵入を阻止するフィルタ１７が取り付けられている。
【００２７】
既に説明したように、本発明で用いる防水透湿フィルタ１５は、大きなクラスタでなる水は通さないから、機器収納箱１１の内部と外部をつなぐ通気路１３１を横断するように配置した場合、機器収納箱１１の外部から内部への水の浸入が阻止される。
【００２８】
一方、本発明で用いる防水透湿フィルタ１５は、水分子、又は、水よりも少ない水分子が集合した微小クラスタである水蒸気を通すから、機器収納箱１１の内部において結露の原因となる水蒸気を、矢印Ｆ１で示すように、機器収納箱１１の内部から外部へ逃がすことができる。したがって、耐水機能と結露防止機能とを併せ持つ防水透湿フィルタ１５となる。
【００２９】
図示の形態では、本発明に係る防水透湿フィルタ１５は、第１支持部材３と、第２支持部材５とを含み、第１支持部材３は、通気性を有する例えば多孔板であって、防水透湿性シート１の一面に積層される。第２支持部材５も、通気性を有する例えば多孔板であって、防水透湿性シート１の他面に積層される。即ち、防水透湿性シート１を、その両面側から、通気性を有する第１及び第２支持部材３、５で挟み込む構造である。この構造によれば、防水透湿性シート１を、所定の平面形状に維持し、耐水機能及び結露防止機能を十分に発揮させるとともに、第１及び第２支持部材３、５を利用して、防水透湿シートを所定の平面形状に保ったままで、通気路１３１を横断するように、機器収納箱１１に取り付けることができる。
【００３０】
本発明に係る防水透湿フィルタ１５は、ビス又はねじ等の留め具９を含み、留め具９は、防水透湿性シート１及び第１及び第２支持部材３，５の積層体を、一面側から取り付け面となる他面側に着脱可能に貫通する。このような構造によれば、防水透湿フィルタ１５が、例えば、経年変化等によって交換しなければならなくなったときも、新しいものと容易に交換することができ、長期にわたって、屋外設置機器の防水機能及び結露防止機能を維持することができる。
【００３１】
本発明に係る防水透湿フィルタ１５は、転てつ機に用いることができる。次に、その具体例を、図４〜図７を参照して説明する。
【００３２】
転てつ機は、周知のように、機器収納箱１１の内部に、転換・鎖錠機構１９を有する。機器収納箱１１は、丈夫な金属成型体でなる。その内部に内蔵される転換・鎖錠機構１９は、モータ、モータ保護用フリクションクラッチ、減速歯車、転換鎖錠部、故障時用手回し装置、開通方向とトングレールの密着状態を検知する回路制御器を含んでいる。
【００３３】
更に、機器収納箱１１の内部から外部に突出する動作かん２３及び鎖錠かん２１が備えられており、動作かん２３は、モータ保護用フリクションクラッチ及び減速歯車等を介して伝達されるモータの駆動力によってトングレールを駆動し、鎖錠かん２１は、転換鎖錠部によってトングレールを転換位置に鎖錠する。動作かん２３及び鎖錠かん２１は、カバー２５によって保護されている。
【００３４】
機器収納箱１１には、同じく金属成型体でなる丈夫な蓋体１３が取り付けられている。蓋体１３の機器収納箱１１と対面する裏面１３３の周辺には、蓋体１３を機器収納箱１１に組み付けた時、機器収納箱１１の内部に連なる第１開口部１３５が設けられている。また、蓋体１３の側部には、外気に連なる第２開口部１３７が設けられている。第１開口部１３５と第２開口部１３７との間には、蓋体１３の外周縁１３９の下側を通る通気路１３１が設けられている。転てつ機は、上述した通気路１３１の他に、外部に連なる通気路を持たない密閉型である。
【００３５】
転てつ機への適用において、本発明に係る防水透湿フィルタ１５は、通気路１３１を横断するように配置される。即ち、本発明に係る防水透湿フィルタ１５は、第１開口部１３５の全面をカバーするように、通気路１３１を横断して設けられ、留め具９によって裏面１３３に固定される。その際、パッキン７が裏面１３３に密接する。更に、第２開口部１３７には、防水透湿フィルタ１５を、ゴミ、虫等の侵入から保護するためのフィルタ１７が取り付けられる。  
【００３６】
本発明に係る防水透湿フィルタ１５は、水は通さないから、転てつ機が、豪雨、洪水等に曝された場合でも、通気路１３１から機器収納箱１１の内部に水が浸入することがない。よって、豪雨、洪水等があった場合でも、転換・鎖錠機構１９が故障する恐れがない。
【００３７】
しかも、本発明に係る防水透湿フィルタ１５は、水蒸気を、例えば矢印Ｆ１で示すように通すから、結露の原因となる水蒸気を、機器収納箱１１の内部から外部へ逃がすことができる。よって、経年変化や、転換・鎖錠の動作回数の増大により、気密性が低下したり、寒暖差による機器収納箱１１の内外の気圧変動で、機器収納箱１１内部に水分を含んだ空気を引き込んだり、あるいは、動作かん２３や鎖錠かん２１に付着したわずかな水分が、動作かん２３や鎖錠かん２１の動作につれて機器収納箱１１内部に引き込まれ、機器収納箱１１内部の水分が増加した場合でも、機器収納箱１１の内部で結露が生じるのを阻止し、結露によって、転換・鎖錠機構１９を構成する各部品に、錆びつきが発生するのを回避することができる。
【００３８】
以上、実施の形態を参照して説明したが、本発明はこの実施例に限定されるものではなく、特許請求の範囲内において、種々の変形、変更が可能であることは言うまでもない。
【符号の説明】
【００３９】
１            防水透湿性シート
３            第１支持部材
５            第２支持部材
７            パッキン
１１            機器収納箱
１３            蓋体
１５            防水透湿フィルタ
１７            フィルタ
【図１】
0005823726.tif 000002
【図２】
0005823726.tif 000003
【図３】
0005823726.tif 000004
【図４】
0005823726.tif 000005
【図５】
0005823726.tif 000006
【図６】
0005823726.tif 000007
【図７】
0005823726.tif 000008